(57)【要約】      （修正有）【課題】開き戸等の扉体の厚さ方向、幅方向及び高さ方向のように互いに直交する３方向の扉位置調整が実施でき、扉体と扉取付部との相互間隔（隙間）の調整が短時間で効率的に行なえる蝶番を提供する。【解決手段】下側蝶番３は、固定枠の縦枠凹部に一部埋め込んで固定される枠側ヒンジプレート６と、開き戸２の上下方向（高さ方向）の木口２ａ及び左右方向（幅方向）の木口２ｂに固定される扉側ヒンジプレート７と、両ヒンジプレート６，７を開き戸２の開閉方向において縦方向（上下方向）の軸線Ｏ３周りに相対的に回動可能に連結する蝶番軸８と、を有する。下側蝶番３の扉側ヒンジプレート７には、前後調整機構１０、左右調整機構２０及び上下調整機構３０を収納する収納ケース５０が固定されている。各調整機構１０，２０，３０によって、開き戸２の厚さ方向Ｏ１、幅方向Ｏ２及び高さ方向Ｏ３の３方向での位置調整（隙間調整）が行なわれる。【選択図】図２
2006169817.tif 000002
【特許請求の範囲】
【請求項１】
固定枠等の扉取付部に装着される取付部側ヒンジ部と、その扉取付部に対して開閉可能な開き戸等の扉体に装着される扉側ヒンジ部と、それら両ヒンジ部を前記扉体の開閉方向において相対的に回動可能に連結する蝶番軸と、を有する蝶番であって、
前記扉側ヒンジ部に取り付けられるとともに、前記扉体を前記蝶番軸の軸線に直交する面において所定の第一方向へ移動させ、かつその直交面において前記第一方向に直交する第二方向及び前記蝶番軸の軸線に沿う第三方向への前記扉体の移動をそれぞれ許容するための第一の調整機構と、
前記扉側ヒンジ部に取り付けられるとともに、前記扉体を前記第二方向へ移動させ、かつ前記第一方向及び前記第三方向への前記扉体の移動をそれぞれ許容するための第二の調整機構と、
前記蝶番軸に取り付けられるとともに、前記扉体を前記第三方向へ移動させ、かつ前記取付部側ヒンジ部及び前記扉側ヒンジ部の相対的な回動を許容するための第三の調整機構と、を備え、
前記扉側ヒンジ部が固定された前記扉体を、前記取付部側ヒンジ部が固定された前記扉取付部に対し、前記蝶番軸を介して連結するとき、
前記第一の調整機構による前記扉体の前記第一方向への移動と、前記第二の調整機構による前記扉体の前記第二方向への移動と、前記第三の調整機構による前記扉体の前記第三方向への移動とが各々独立して、前記扉体が前記扉取付部を閉鎖する状態でその扉体の内側又は外側から一括して行なわれ、それら扉体と扉取付部との相互間隔が微調整可能であることを特徴とする蝶番。
【請求項２】
固定枠等の扉取付部に装着される取付部側ヒンジ部としての取付部側ヒンジプレートと、その扉取付部に対して開閉可能な開き戸等の扉体に装着される扉側ヒンジ部としての扉側ヒンジプレートと、それら両ヒンジプレートを前記扉体の開閉方向において相対的に回動可能に連結する蝶番軸と、を有する蝶番であって、
前記扉側ヒンジプレートに取り付けられるとともに、前記扉体が前記扉取付部を閉鎖する状態でその扉体を前記蝶番軸の軸線に直交する面において第一方向としての厚さ方向へ移動させ、かつその直交面において前記厚さ方向に直交する第二方向としての前記扉体の幅方向及び前記蝶番軸の軸線に沿う第三方向としての前記扉体の高さ方向への前記扉体の移動をそれぞれ許容する第一係合部が配置された第一の調整機構と、
前記扉側ヒンジプレートに取り付けられるとともに、前記扉体を前記幅方向へ移動させ、かつ前記厚さ方向及び前記高さ方向への前記扉体の移動をそれぞれ許容する第二係合部が、前記高さ方向から見て前記第一係合部とクロス状に重合する形態で配置された第二の調整機構と、
前記蝶番軸に組み込まれるとともに、前記扉体を前記高さ方向へ移動させ、かつ前記取付部側ヒンジプレートに対する前記扉側ヒンジプレートの回動を許容する第三係合部が、前記第一係合部及び前記第二係合部の重合部分を貫通する形態で配置された第三の調整機構と、を備え、
前記扉側ヒンジプレートが固定された前記扉体を、前記取付部側ヒンジプレートが固定された前記扉取付部に対し、前記蝶番軸が前記第一係合部及び前記第二係合部の重合部分を貫通する形態で連結するとき、
前記第一の調整機構による前記扉体の厚さ方向への移動と、前記第二の調整機構による前記扉体の幅方向への移動と、前記第三の調整機構による前記扉体の高さ方向への移動とが各々独立して、前記扉体が前記扉取付部を閉鎖する状態でその扉体の内側又は外側から一括して行なわれ、それら扉体と扉取付部との相互間隔が微調整可能であることを特徴とする蝶番。
【請求項３】
前記第一係合部は、前記蝶番軸と係合することによって前記扉体を前記厚さ方向へ移動させ、かつ前記蝶番軸との係合を回避することによって前記幅方向及び前記高さ方向への前記扉体の移動を許容するように、前記扉体の幅方向に沿って長孔状で高さ方向に貫通形成される一方、
前記第二係合部は、前記蝶番軸と係合することによって前記扉体を前記幅方向へ移動させ、かつ前記蝶番軸との係合を回避することによって前記厚さ方向及び前記高さ方向への前記扉体の移動を許容するように、前記扉体の厚さ方向に沿って長孔状で高さ方向に貫通形成されている請求項２に記載の蝶番。
【請求項４】
前記蝶番軸の第三係合部は、前記取付部側ヒンジプレートに固定された軸状部材と、その軸状部材に同芯状に被せられて係合するとともに前記扉側ヒンジプレートに保持された筒状部材とを含み、
その筒状部材が前記軸状部材と係合しつつその軸線方向に移動することによって、前記扉体を前記高さ方向へ移動させる請求項２又は３に記載の蝶番。
【請求項５】
前記筒状部材の外周面は、軸線方向から見て、少なくとも前記第一係合部及び前記第二係合部を貫通する部分が非円形状に形成されるとともに、
前記軸状部材と前記筒状部材との間には、前記扉側ヒンジプレートの回動に伴う前記筒状部材の回転変位を受け止める軸受体が設けられ、
前記扉取付部に対する前記扉体の開閉に基づいて、前記扉側ヒンジプレート及び前記筒状部材は、前記軸受体を介して又は前記軸受体とともに、前記軸状部材の軸線周りに前記第一係合部及び前記第二係合部と一体的に回動する請求項４に記載の蝶番。
【請求項６】
前記第一、第二及び第三の調整機構は前記扉側ヒンジ部に固定された直方体状又は立方体状のケース体にそれぞれ収納され、
そのケース体の互いに直交する３つの面には、各々の調整機構に対応する第一、第二及び第三の操作部が、それぞれ前記ケース体の外部から各調整機構の作動部を移動調整可能に設けられている請求項１ないし５のいずれか１項に記載の蝶番。
【請求項７】
請求項１ないし３のいずれか１項に記載の蝶番において、
前記第三の調整機構に代えて、前記蝶番軸に取り付けられるとともに、前記扉体の前記第三方向への移動に追従し、かつ前記取付部側ヒンジ部及び前記扉側ヒンジ部の相対的な回動を許容するための追従移動機構を備え、
前記扉側ヒンジ部が固定された前記扉体を、前記取付部側ヒンジ部が固定された前記扉取付部に対し、前記蝶番軸を介して連結するとき、
前記第一の調整機構による前記扉体の前記第一方向への移動と、前記第二の調整機構による前記扉体の前記第二方向への移動と、前記扉体の前記第三方向への移動に基づく前記追従移動機構による追従移動とが各々独立して、前記扉体が前記扉取付部を閉鎖する状態でその扉体の内側又は外側から一括して行なわれ、それら扉体と扉取付部との相互間隔が微調整可能であることを特徴とする蝶番。
【請求項８】
請求項１ないし６のいずれか１項に記載の蝶番が、固定枠等の扉取付部に対して開閉可能な開き戸等の扉体の下部に下側蝶番として取り付けられる一方、
請求項７に記載の蝶番が、前記扉体の上部に上側蝶番として取り付けられていることを特徴とする扉ユニット。
【請求項９】
請求項８に記載の扉ユニットを固定枠等の扉取付部に対して位置調整する方法であって、
前記下側蝶番及び前記上側蝶番において、前記扉側ヒンジ部が固定された前記扉体を、前記取付部側ヒンジ部が固定された前記扉取付部に対し、前記蝶番軸を介して連結するとともに、前記扉体が前記扉取付部を閉鎖する状態に維持しつつ、
前記下側蝶番及び前記上側蝶番に備えられた前記第一の調整機構により、前記扉体をそれぞれ前記第一方向へ移動させる第一方向調整工程と、
前記下側蝶番及び前記上側蝶番に備えられた前記第二の調整機構により、前記扉体をそれぞれ前記第二方向へ移動させる第二方向調整工程と、
前記下側蝶番に備えられた前記第三の調整機構により、前記扉体を前記第三方向へ移動させるとともに、前記上側蝶番に備えられた前記追従移動機構により、前記扉体の前記第三方向への移動に追従させる第三方向調整工程と、
を各々独立して、かつ順序を問わずに前記扉体の内側又は外側から一括して行ない、前記扉体と前記扉取付部との相互間隔を微調整することを特徴とする扉ユニットの位置調整方法。
【発明の詳細な説明】
【技術分野】
【０００１】
本発明は、蝶番、特に開き戸用の蝶番と、その蝶番を用いた扉ユニット、及びその扉ユニットの位置調整方法に関する。
【背景技術】
【０００２】
例えば、部屋への出入り用扉等の開き戸を、固定枠等の扉取付部に取付施工する際に、扉をスムーズに開閉できるように扉と固定枠との相互間隔（隙間）を所定範囲内に調整する必要がある。また、使用によって扉や固定枠が変形したり扉の取付位置がずれたりしたときにも、扉と固定枠との相互間隔を調整し直す必要がある。そして、これらの調整を適正に行なうために、扉の厚さ方向（扉正面に対峙する作業者の前後）、扉の幅方向（同じく左右）及び扉の高さ方向（同じく上下）の３方向での位置調整（隙間調整）を可能とした蝶番が開示されている（特許文献１参照）。
【０００３】
【特許文献１】特開平１０−８２２３４号公報
【０００４】
このような蝶番によれば、扉を前後・左右・上下に位置調整することにより、扉と固定枠との相互間隔（隙間）を適正範囲に調整できる。しかし、特許文献１の蝶番では、扉の幅方向（左右）調整が蝶番軸の軸線周りでの回動によって行なわれるので、幅方向調整に伴って前後方向のずれを生じ、前後方向の再調整を要する場合がある。このため、隙間調整を効率よく行なうには、扉の幅方向の位置調整を行なってから前後方向の位置調整を行なうように、予め調整手順を決めておく必要がある。また、扉の前後方向の位置固定のためにロックねじを設ける場合には、ロックねじを緩めてから前後調整ねじを調整し、その後再びロックねじを締め込む操作を要する。さらに、扉を外した状態で上下方向の位置調整を行なう場合には、扉を装着後に実際の隙間を見ながら上下方向の再調整を要することがある。
【発明の開示】
【発明が解決しようとする課題】
【０００５】
本発明の課題は、開き戸等の扉体の厚さ方向、幅方向及び高さ方向のように互いに直交する３方向の扉位置調整が、各々独立して、かつ固定枠等の扉取付部を閉鎖した扉体の内側又は外側で一括して実施でき、扉体と扉取付部との相互間隔（隙間）の調整が短時間で効率的に行なえる蝶番、その蝶番を用いた扉ユニット、及びその扉ユニットの位置調整方法を提供することにある。
【課題を解決するための手段及び発明の効果】
【０００６】
上記課題を解決するために、本発明の蝶番は、
固定枠等の扉取付部に装着される取付部側ヒンジ部と、その扉取付部に対して開閉可能な開き戸等の扉体に装着される扉側ヒンジ部と、それら両ヒンジ部を前記扉体の開閉方向において相対的に回動可能に連結する蝶番軸と、を有する蝶番であって、
前記扉側ヒンジ部に取り付けられるとともに、前記扉体を前記蝶番軸の軸線に直交する面において所定の第一方向へ移動させ、かつその直交面において前記第一方向に直交する第二方向及び前記蝶番軸の軸線に沿う第三方向への前記扉体の移動をそれぞれ許容するための第一の調整機構と、
前記扉側ヒンジ部に取り付けられるとともに、前記扉体を前記第二方向へ移動させ、かつ前記第一方向及び前記第三方向への前記扉体の移動をそれぞれ許容するための第二の調整機構と、
前記蝶番軸に取り付けられるとともに、前記扉体を前記第三方向へ移動させ、かつ前記取付部側ヒンジ部及び前記扉側ヒンジ部の相対的な回動を許容するための第三の調整機構と、を備え、
前記扉側ヒンジ部が固定された前記扉体を、前記取付部側ヒンジ部が固定された前記扉取付部に対し、前記蝶番軸を介して連結するとき、
前記第一の調整機構による前記扉体の前記第一方向への移動と、前記第二の調整機構による前記扉体の前記第二方向への移動と、前記第三の調整機構による前記扉体の前記第三方向への移動とが各々独立して、前記扉体が前記扉取付部を閉鎖する状態でその扉体の内側又は外側から一括して行なわれ、それら扉体と扉取付部との相互間隔が微調整可能であることを特徴とする。
【０００７】
このような蝶番によれば、扉体（例えば開き戸）の互いに直交する３方向（例えば、厚さ方向、幅方向及び高さ方向）の位置調整が、各々独立して、かつ扉取付部（例えば固定枠）を閉鎖する状態で扉体の内側又は外側で一括して行なえる。つまり、作業者は、扉体の位置調整作業の途中で扉体を開閉し、作業位置を扉体（部屋出入口）の内側と外側との間で変更する必要がない。また、扉体の３方向の位置調整を各々独立して行なえるので、例えば幅方向の位置調整に伴って生じる厚さ方向のずれを再調整したりする必要がなく、位置調整の手順（順序）を予め決めておく必要もない。したがって、扉体と扉取付部との相互間隔（隙間）の調整が短時間で効率的に行なえるようになる。このように、「扉体の３方向の位置調整を各々独立して行なうこと」には、「いずれか１方向の位置調整によって他の方向にずれを生じないこと」、及び「３方向の位置調整に順序を問わないこと」の両方の意味が含まれている。さらに、これら扉体の３方向の位置調整は、扉体が扉取付部を閉鎖する状態ですべて行なわれるので、扉体と扉取付部との相互間隔（隙間）を実際に視認しながら、適正な隙間を効率よく見出して調整することができる。
【０００８】
その際、第一、第二及び第三の調整機構を扉側ヒンジ部に固定された直方体状又は立方体状のケース体にそれぞれ収納し、そのケース体の互いに直交する３つの面には、各々の調整機構に対応する第一、第二及び第三の操作部を設けて、それぞれケース体の外部から各調整機構の作動部を移動調整可能とすることが望ましい。各操作部による作動部の移動調整によって、扉体の互いに直交する３方向の位置調整を、各々独立して、かつ扉取付部を閉鎖する状態で扉体の内側又は外側で一括して行なうことが、簡素な構成で容易に実施できるようになる。
【０００９】
なお、扉側ヒンジ部が、扉体の高さ方向の木口及び幅方向の木口に固定されるＬ字状（直交状）の固定片と、幅方向の固定片から扉体の厚さ方向に突出して、上記したようなサイコロ状（直方体状又は立方体状）のケース体を支持する支持片とを有する扉側ヒンジプレートで構成され、その支持片が幅方向の固定片から一旦高さ方向にクランク状（直角状）に立ち上がってから厚さ方向に折れ曲がって突出するように形成できる。クランク状の支持片を用いることにより、扉体の厚さ方向への倒れ込みに対する剛性が高くなり、扉側ヒンジプレートの板厚を相対的に薄くすることができる。したがって、扉体（扉側ヒンジプレート）と扉取付部（取付部側ヒンジプレート）との高さ方向の隙間が外部から見えないように覆い隠すための覆い部を設ける場合には、その覆い部の高さを低く抑えることができる。
【００１０】
また、上記課題を解決するために、本発明の蝶番は、
固定枠等の扉取付部に装着される取付部側ヒンジ部としての取付部側ヒンジプレートと、その扉取付部に対して開閉可能な開き戸等の扉体に装着される扉側ヒンジ部としての扉側ヒンジプレートと、それら両ヒンジプレートを前記扉体の開閉方向において相対的に回動可能に連結する蝶番軸と、を有する蝶番であって、
前記扉側ヒンジプレートに取り付けられるとともに、前記扉体が前記扉取付部を閉鎖する状態でその扉体を前記蝶番軸の軸線に直交する面において第一方向としての厚さ方向へ移動させ、かつその直交面において前記厚さ方向に直交する第二方向としての前記扉体の幅方向及び前記蝶番軸の軸線に沿う第三方向としての前記扉体の高さ方向への前記扉体の移動をそれぞれ許容する第一係合部が配置された第一の調整機構と、
前記扉側ヒンジプレートに取り付けられるとともに、前記扉体を前記幅方向へ移動させ、かつ前記厚さ方向及び前記高さ方向への前記扉体の移動をそれぞれ許容する第二係合部が、前記高さ方向から見て前記第一係合部とクロス状に重合する形態で配置された第二の調整機構と、
前記蝶番軸に組み込まれるとともに、前記扉体を前記高さ方向へ移動させ、かつ前記取付部側ヒンジプレートに対する前記扉側ヒンジプレートの回動を許容する第三係合部が、前記第一係合部及び前記第二係合部の重合部分を貫通する形態で配置された第三の調整機構と、を備え、
前記扉側ヒンジプレートが固定された前記扉体を、前記取付部側ヒンジプレートが固定された前記扉取付部に対し、前記蝶番軸が前記第一係合部及び前記第二係合部の重合部分を貫通する形態で連結するとき、
前記第一の調整機構による前記扉体の厚さ方向への移動と、前記第二の調整機構による前記扉体の幅方向への移動と、前記第三の調整機構による前記扉体の高さ方向への移動とが各々独立して、前記扉体が前記扉取付部を閉鎖する状態でその扉体の内側又は外側から一括して行なわれ、それら扉体と扉取付部との相互間隔が微調整可能であることを特徴とする。
【００１１】
これによって、第一係合部による扉体の厚さ方向（前後）の位置調整、第二係合部による扉体の幅方向（左右）の位置調整、及び第三係合部による扉体の高さ方向（上下）の位置調整が、各々独立して、かつ扉取付部の閉鎖状態で扉体の内側又は外側で一括して行なえる。しかも、第一係合部と第二係合部との重合部分を第三係合部が貫通する形態で配置することによって、扉体の３方向（厚さ方向、幅方向及び高さ方向）の位置調整が、互いに干渉することなく各々独立して容易に行なえるようになる。
【００１２】
具体的には、蝶番軸と係合することによって扉体を厚さ方向へ移動させ、かつ蝶番軸との係合を回避することによって幅方向及び高さ方向への扉体の移動を許容するように、第一係合部を扉体の幅方向に沿って長孔状で高さ方向に貫通形成する一方、
蝶番軸と係合することによって扉体を前記幅方向へ移動させ、かつ蝶番軸との係合を回避することによって厚さ方向及び高さ方向への扉体の移動を許容するように、第二係合部を扉体の厚さ方向に沿って長孔状で高さ方向に貫通形成することができる。
【００１３】
また、蝶番軸の第三係合部は、取付部側ヒンジプレートに固定された軸状部材と、その軸状部材に同芯状に被せられて係合するとともに扉側ヒンジプレートに保持された筒状部材とを含み、
その筒状部材が軸状部材と係合しつつその軸線方向に移動することによって、扉体を高さ方向へ移動させることができる。
【００１４】
第一ないし第三係合部をそれぞれ以上のように構成することによって、扉体の３方向への独立した位置調整が、簡素な構成で安価に実現できるようになる。
【００１５】
さらに、軸線方向から見て、少なくとも第一係合部及び第二係合部を貫通する部分の筒状部材の外周面を非円形状（例えば楕円形状や多角形状）に形成するとともに、
軸状部材と筒状部材との間には、扉側ヒンジプレートの回動に伴う筒状部材の回転変位を受け止める軸受体を設けることによって、
扉取付部に対する扉体の開閉に基づいて、扉側ヒンジプレート及び筒状部材は、軸受体を介して又は軸受体とともに、軸状部材の軸線周りに第一係合部及び第二係合部と一体的に回動することができる。
【００１６】
これによって、上記した扉体と扉取付部との高さ方向の隙間調整の後、扉体（開き戸）の開閉が蝶番軸の軸線周りで支障なく行なえ、そのための構成も簡素で安価に実施できる。
【００１７】
なお、以上で述べたように第一ないし第三の調整機構を備える蝶番において、
第三の調整機構に代えて、蝶番軸に取り付けられるとともに、扉体の第三方向への移動に追従し、かつ取付部側ヒンジ部及び扉側ヒンジ部の相対的な回動を許容するための追従移動機構を備え、
扉側ヒンジ部が固定された扉体を、取付部側ヒンジ部が固定された扉取付部に対し、蝶番軸を介して連結するとき、
第一の調整機構による扉体の第一方向への移動と、第二の調整機構による扉体の第二方向への移動と、扉体の第三方向への移動に基づく追従移動機構による追従移動とが各々独立して、扉体が扉取付部を閉鎖する状態でその扉体の内側又は外側から一括して行なわれ、それら扉体と扉取付部との相互間隔が微調整可能とすることができる。
【００１８】
そして、上記課題を解決するために、本発明の扉ユニットは、
第三の調整機構を備える蝶番が、固定枠等の扉取付部に対して開閉可能な開き戸等の扉体の下部に下側蝶番として取り付けられる一方、
第三の調整機構に代えて追従移動機構を備える蝶番が、扉体の上部に上側蝶番として取り付けられていることを特徴とする。
【００１９】
このように、第三の調整機構を備える蝶番が下側蝶番として用いられることにより、扉体の互いに直交する３方向の位置調整が楽な姿勢で行なえる。また、第三の調整機構に代えて追従移動機構を備える蝶番が上側蝶番として用いられることにより、上側蝶番のコスト、ひいては扉ユニット全体のコストを低減することができる。
【００２０】
さらに、上記課題を解決するために、本発明は、扉ユニットを固定枠等の扉取付部に対して位置調整する方法として、
下側蝶番及び上側蝶番において、扉側ヒンジ部が固定された扉体を、取付部側ヒンジ部が固定された扉取付部に対し、蝶番軸を介して連結するとともに、扉体が扉取付部を閉鎖する状態に維持しつつ、
下側蝶番及び上側蝶番に備えられた第一の調整機構により、扉体をそれぞれ第一方向へ移動させる第一方向調整工程と、
下側蝶番及び上側蝶番に備えられた第二の調整機構により、扉体をそれぞれ第二方向へ移動させる第二方向調整工程と、
下側蝶番に備えられた第三の調整機構により、扉体を第三方向へ移動させるとともに、上側蝶番に備えられた追従移動機構により、扉体の第三方向への移動に追従させる第三方向調整工程と、
を各々独立して、かつ順序を問わずに扉体の内側又は外側から一括して行ない、扉体と扉取付部との相互間隔を微調整することを特徴とする。
【００２１】
これにより、作業者は、扉体の位置調整作業の途中で扉体を開閉し、作業位置を扉体の内側と外側との間で変更する必要がない。また、第一方向ないし第三方向の調整工程（隙間調整作業）は、各々独立して、すなわち順序を問わずにかつ他方向の調整工程と干渉することなく行なえる。しかも、扉体の３方向の位置調整は、すべて扉体が扉取付部を閉鎖する状態に維持して行なわれるので、扉体と扉取付部との相互間隔（隙間）を目視しながら調整できる。これらの結果、扉体の位置調整作業（扉体と扉取付部との隙間調整作業）に特別な熟練技術を要さずに、短時間で適正な位置（隙間）を効率よく見出して調整することができる。
【発明を実施するための最良の形態】
【００２２】
（実施例）
以下、図面を参照しながら発明の実施の形態について説明する。図１は、本発明に係る扉ユニットを固定枠に取り付けた状態の一例を示す正面図及び側面図、
図２は下側蝶番の取付状態を扉ユニットの開放状態にて拡大して示す斜視図、図１３は上側蝶番の取付状態を扉ユニットの閉鎖状態にて拡大して示す斜視図である。図１に示す扉ユニット１には、部屋出入口等を構成する縦長矩形状の固定枠５（扉取付部）に対して開閉可能な開き戸２（扉体）の右下部に下側蝶番３（蝶番）が取り付けられ、その右上部に上側蝶番４（蝶番）が取り付けられている。
【００２３】
図２に示すように、下側蝶番３は、固定枠５の縦枠凹部５ａに一部埋め込んで固定（装着）される枠側ヒンジプレート６（取付部側ヒンジプレート；取付部側ヒンジ部）と、開き戸２の上下方向（高さ方向）の木口２ａ及び左右方向（幅方向）の木口２ｂに固定（装着）される扉側ヒンジプレート７（扉側ヒンジ部）と、両ヒンジプレート６，７を開き戸２の開閉方向において縦方向（上下方向）の軸線Ｏ３周りに相対的に回動可能に連結する蝶番軸８と、を有する。この下側蝶番３の扉側ヒンジプレート７には、後述する前後調整機構１０（第一の調整機構）、左右調整機構２０（第二の調整機構）及び上下調整機構３０（第三の調整機構）を収納する収納ケース５０（ケース体）が固定されている（図３参照）。そして、これらの各調整機構１０，２０，３０によって、開き戸２の厚さ方向（開き戸２の正面に対峙する作業者の前後方向）Ｏ１、開き戸２の幅方向（同じく左右方向）Ｏ２及び開き戸２の高さ方向（同じく上下方向）Ｏ３の３方向での位置調整（隙間調整）が行なわれる。
【００２４】
図１３に示すように、上側蝶番４は、固定枠５の上部横枠凹部５ｂに一部埋め込んで固定（装着）される枠側ヒンジプレート１０６（取付部側ヒンジプレート；取付部側ヒンジ部）と、開き戸２の上下方向（高さ方向）の木口２ａ及び左右方向（幅方向）の木口２ｂに固定（装着）される扉側ヒンジプレート７（扉側ヒンジ部）と、両ヒンジプレート１０６，７を開き戸２の開閉方向において上下方向の軸線Ｏ３周りに相対的に回動可能に連結する蝶番軸８（図１参照）と、を有する。この上側蝶番４の扉側ヒンジプレート７には、後述する前後調整機構１０（第一の調整機構）、左右調整機構２０（第二の調整機構）及び上下移動機構４０（追従移動機構）を収納する収納ケース５０（ケース体）が固定されている（図１４参照）。そして、これらの各調整機構１０，２０によって、開き戸２の厚さ方向（開き戸２の正面に対峙する作業者の前後方向）Ｏ１及び開き戸２の幅方向（同じく左右方向）Ｏ２の２方向での位置調整（隙間調整）が行なわれる。また、上下移動機構４０は、上記した下側蝶番３の上下調整機構３０による開き戸２の高さ方向（同じく上下方向）Ｏ３への位置調整（隙間調整）に追従して、開き戸２を高さ方向に移動・保持する。
【００２５】
なお、図２及び図１３から明らかなように、開き戸２の３方向の位置調整（隙間調整）は、開き戸２が固定枠５を閉鎖する状態で、開き戸２（部屋出入口）の内側から行なえる。また、原則として以下の記載では、開き戸２の移動方向や位置を示すときには、厚さ方向Ｏ１、幅方向Ｏ２及び高さ方向Ｏ３と表わし、開き戸２と固定枠５との隙間（相互間隔）を示すときには、前後隙間Ｓ１、左右隙間Ｓ２及び上下隙間Ｓ３（図１参照）と表わす。
【００２６】
次に、下側蝶番３の具体的構成を図３〜図１２に示す。図３及び図４に示すように、枠側ヒンジプレート６は、固定枠５の縦枠凹部５ａ（図４（ｂ）参照）に固定される固定片６ａと、蝶番軸８を構成する枠側固定軸３１（軸状部材；第三係合部；第三の作動部）を挿通するための貫通孔６ｃが形成された保持片６ｂとがＬ字状（直角状）に形成されている。なお、図１０（ｃ）に示すように、枠側固定軸３１は、その基端部３１ｄが貫通孔６ｃに挿通された後、カシメ等により保持片６ｂ（貫通孔６ｃ）に回転不能に固着されている。
【００２７】
図３及び図５に示すように、扉側ヒンジプレート７は、開き戸２の高さ方向Ｏ３の木口２ａ及び幅方向Ｏ２の木口２ｂ（図５（ｃ）参照）に固定されるＬ字状（直角状）の固定片７ａと、幅方向Ｏ２の固定片７ａから開き戸２の厚さ方向Ｏ１に突出してサイコロ状（擬似立方体形状）の収納ケース５０を支持・固定する支持片７ｂとを有する。なお、図５（ｂ）に示すように、支持片７ｂは、幅方向Ｏ２の水平状の固定片７ａから一旦上向きに直角状に立ち上がってから厚さ方向Ｏ１に水平状に折れ曲がるクランク状の折曲部７ｃ（図２参照）を介して固定片７ａと連結されている。また、７ｄは、後述する上下調整機構３０（蝶番軸８）を挿入するために、支持片７ｂに高さ方向Ｏ３（軸線）に沿って貫通形成された非円形状（例えば四角形状）の貫通孔である。
【００２８】
図３及び図６に示すように、１面（例えば下面）に開口し残り５面を箱状の壁部５０ａ〜５０ｅに形成された擬似立方体形状の板金製収納ケース５０に、３つの調整機構、すなわち前後調整機構１０、左右調整機構２０及び上下調整機構３０がそれぞれ収納されている。図３に示すように、収納ケース５０は、開口部が支持片７ｂで蓋をされる形態で、扉側ヒンジプレート７に固定されている。なお、収納ケース５０の頂壁部５０ａには、上下調整機構３０（蝶番軸８）を挿入するために、高さ方向Ｏ３（軸線）において支持片７ｂの貫通孔７ｄと一致する形態で、非円形状（例えば四角形状）の貫通孔５０ｆが貫通形成されている。また、収納ケース５０の１側壁（例えば前壁部５０ｂ）には、支持片７ｂの凸部７ｅ（係止部）と嵌り合って扉側ヒンジプレート７との位置決めをするために、凹部５０ｇ（係止部）が形成されている。
【００２９】
そして、図３及び図７に示すように、収納ケース５０は、他物との接触による損傷、塵埃の侵入等から保護するために、相似形状の樹脂製収納ケースカバー５１で覆われている。この収納ケースカバー５１は、収納ケース５０の前壁部５０ｂ（凹部５０ｇ）に対向する後面が開放され、この開放部５１ａから収納ケース５０が挿入される。
【００３０】
３つの調整機構のうち、前後調整機構１０は、図３に示すように、収納ケース５０に収納されるとともに、開き戸２を厚さ方向Ｏ１へ移動させ、かつ幅方向Ｏ２及び高さ方向Ｏ３への開き戸２の移動をそれぞれ許容する樹脂製の前後スライダ１１（第一係合部；第一の作動部）を有している。
【００３１】
具体的には、前後スライダ１１は、図３及び図８に示すように、開き戸２の幅方向Ｏ２に沿って長孔状で高さ方向Ｏ３に貫通形成された貫通孔１１ａを、高さ方向Ｏ３に複数段（例えば２段）有している。貫通孔１１ａは、後述するスリーブ３２（蝶番軸８）と係合することによって開き戸２を厚さ方向Ｏ１へ移動させ、かつスリーブ３２（蝶番軸８）との係合を回避することによって幅方向Ｏ２及び高さ方向Ｏ３への開き戸２の移動を許容する。前後スライダ１１は、厚さ方向Ｏ１に貫通形成された雌ねじ部１１ｂを備え、収納ケース５０の前壁部５０ｂと後壁部５０ｄは、それぞれ厚さ方向Ｏ１に貫通形成された皿孔状の取付孔５０ｈ，５０ｉを備えている（図６参照）。したがって、取付孔５０ｈに挿通された前後調整ねじ１２（第一の操作部）が雌ねじ部１１ｂと螺合することによって、前後スライダ１１が開き戸２の厚さ方向Ｏ１へ移動し、前後隙間Ｓ１が調整される（図１参照）。
【００３２】
また、左右調整機構２０は、図３に示すように、収納ケース５０に収納されるとともに、開き戸２を幅方向Ｏ２へ移動させ、かつ厚さ方向Ｏ１及び高さ方向Ｏ３への開き戸２の移動をそれぞれ許容する樹脂製の左右スライダ２１（第二係合部；第二の作動部）を有している。
【００３３】
具体的には、左右スライダ２１は、図３及び図９に示すように、開き戸２の厚さ方向Ｏ１に沿って長孔状で高さ方向Ｏ３に貫通形成された貫通孔２１ａを、高さ方向Ｏ３に複数段（例えば２段）有し、高さ方向Ｏ３から見て前後スライダ１１とクロス状に重合する形態（図９（ａ）参照）で配置されている。貫通孔２１ａは、後述するスリーブ３２（蝶番軸８）と係合することによって開き戸２を幅方向Ｏ２へ移動させ、かつスリーブ３２（蝶番軸８）との係合を回避することによって厚さ方向Ｏ１及び高さ方向Ｏ３への開き戸２の移動を許容する。左右スライダ２１は、幅方向Ｏ２に貫通形成された雌ねじ部２１ｂを備え、収納ケース５０の左右の側壁部５０ｅ，５０ｃは、それぞれ幅方向Ｏ２に貫通形成された皿孔状の取付孔５０ｊ，５０ｋを備えている（図６参照）。したがって、取付孔５０ｊに挿通された左右調整ねじ２２（第二の操作部）が雌ねじ部２１ｂと螺合することによって、左右スライダ２１が開き戸２の幅方向Ｏ２へ移動し、左右隙間Ｓ２が調整される（図１参照）。
【００３４】
さらに、上下調整機構３０は、図３及び図１０〜図１２に示すように、蝶番軸８に組み込まれるとともに、開き戸２を高さ方向Ｏ３へ移動させ、かつ枠側ヒンジプレート６に対する扉側ヒンジプレート７の回動を許容する第三係合部３１〜３４（第三の作動部）を有している。
【００３５】
具体的には、上下調整機構３０は、枠側ヒンジプレート６に固定された枠側固定軸３１（軸状部材；第三係合部；第三の作動部）と、枠側固定軸３１に同芯状に被せられて係合するとともに扉側ヒンジプレート７に保持されたスリーブ３２（筒状部材；第三係合部；第三の作動部）とを有する。枠側固定軸３１及びスリーブ３２は、前後スライダ１１と左右スライダ２１との重合部分、すなわち貫通孔１１ａ，２１ａを貫通する形態で配置されている（図９参照）。スリーブ３２は、その内周面の一部（上半部）に高さ方向Ｏ３に沿って形成された雌ねじ部３２ａを備えている。一方、枠側固定軸３１とスリーブ３２との間には後述するピボット軸受３３が設けられ、そのピボット軸受３３の外周面に上下調整ねじ３３ａ（第三の操作部）が形成されている。したがって、上下調整ねじ３３ａが雌ねじ部３２ａと螺合することによって、スリーブ３２が開き戸２の高さ方向Ｏ３へ移動し、上下隙間Ｓ３が調整される（図１参照）。
【００３６】
さらに、図１１に示すように、スリーブ３２の本体部３２ｂの外周面は、軸線Ｏ３方向から見て、先端部３２ｂ１のみが円形状に形成され、貫通孔１１ａ，２１ａを貫通する部分を含む残余部３２ｂ２が非円形状（例えば擬似四角形状）に形成されている。また、図１２に示すように、枠側固定軸３１とスリーブ３２との間には、扉側ヒンジプレート７の回動に伴うスリーブ３２の回転変位を受け止めるピボット軸受３３（軸受体；第三係合部；第三の作動部）が設けられている。これらの構成により、固定枠５に対する開き戸２の開閉に基づいて、扉側ヒンジプレート７及びスリーブ３２は、ピボット軸受３３とともに枠側固定軸３１の軸線Ｏ３周りに、前後スライダ１１及び左右スライダ２１と一体的に回動する。
【００３７】
ここで、図３に示すピボット軸受３３は、その外周面に形成された上下調整ねじ３３ａによりスリーブ３２の所定高さ位置に固定・維持され、開き戸２の開閉に基づいてスリーブ３２とともに一体的に回動する。そして、枠側固定軸３１の先端部３１ａには金属製の球体３４（支持体；第三係合部；第三の作動部）が保持されている。一方、ピボット軸受３３の軸受本体３３ｂは樹脂製とされ、軸受本体３３ｂの球体３４との接触面３３ｃは曲面状（例えば球面状）に形成されている。このように、金属製の球体３４が曲面状の接触面３３ｃと接してピボット軸受３３を支持することによって、ピボット軸受３３と枠側固定軸３１との間の摩擦が低減され、ピボット軸受３３は軸線Ｏ３周りで円滑に回転するようになる。
【００３８】
なお、図１２（ｂ）に示すように、ピボット軸受３３の上下調整ねじ３３ａが金属製、軸受本体３３ｂが樹脂製にて各々構成されるように、上下調整ねじ３３ａと一体の軸部３３ｄを軸受本体３３ｂとともにインサート成形してある。また、図１０（ｃ）に示すように、枠側固定軸３１の先端部３１ａには、端面から軸線Ｏ３方向に凹部を形成することによって円筒状の周壁部が形成され、球体３４をその凹部に挿入・載置して、周壁部のカシメ等により球体３４を枠側固定軸３１に回転不能に固着してある（図１２（ｃ）参照）。
【００３９】
図３に戻り、以上のような構成を有する下側蝶番３の組立方法について説明する。
（１）収納ケース５０組立工程
前後スライダ１１と左右スライダ１２とを高さ方向Ｏ３から見てクロス状に重ね合わせて（図９（ａ）参照）収納ケース５０内に収納する。前後調整ねじ１２を収納ケース５０の前壁部５０ｂに形成された取付孔５０ｈに挿通し、前後スライダ１１の雌ねじ部１１ｂと螺合させる。一方、左右調整ねじ２２を収納ケース５０の左側壁部５０ｅに形成された取付孔５０ｊに挿通し、左右スライダ２１の雌ねじ部２１ｂと螺合させる。なお、前後調整ねじ１２の先端は後壁部５０ｄの取付孔５０ｉに挿通後に抜け止めのために皿状にかしめられ、左右調整ねじ２２の先端も右側壁部５０ｃの取付孔５０ｋに挿通後に同様にかしめられる。これにより、調整ねじ１２，２２は、それぞれ収納ケース５０で支持され、ねじ回し等によって回転されたときスライダ１１，２１を螺進させる。
【００４０】
（２）収納ケース５０セット工程
前壁部５０ｂの凹部５０ｇに支持片７ｂの凸部７ｅを嵌め合わせつつ、扉側ヒンジプレート７の支持片７ｂに収納ケース５０を載置・固定する。スリーブ３２の本体部３２ｂを、支持片７ｂの貫通孔７ｄに高さ方向Ｏ３に沿って挿入し、支持片７ｂの下面に位置させた四角孔付き座金５２を介して、フランジ部３２ｃを扉側ヒンジプレート７に着座させる。収納ケース５０の貫通孔５０ｆから突出したスリーブ３２の先端部３２ｂ１を、頂壁部５０ａの上面に位置させた四角孔付き座金５３とリング状の固定具５４（例えばプッシュナット）とによって、収納ケース５０に固定する。これによって、スリーブ３２は、扉側ヒンジプレート７（開き戸２）とともに一体的に回動可能となる。なお、リング状固定具５４側（貫通孔５０ｆ側）から、ピボット軸受３３の上下調整ねじ３３ａをスリーブ３２の雌ねじ部３２ａに螺合させておく。
【００４１】
（３）枠側固定軸３１取付工程
枠側固定軸３１の基端部３１ｄを枠側ヒンジプレート６の貫通孔６ｃに挿通してかしめるとともに、枠側固定軸３１の先端部３１ａの凹部に球体３４を載置してかしめる（図１０（ｃ）参照）。
【００４２】
（４）ヒンジプレート６，７セット工程
枠側固定軸３１の本体部３１ｂをスリーブ３２に挿通し、球体３４とピボット軸受３３の接触面３３ｃとを接触させて、スリーブ３２、扉側ヒンジプレート７、収納ケース５０等を保持させる。ピボット軸受３３の上下調整ねじ３３ａの螺進により、枠側固定軸３１に対するスリーブ３２の高さ方向Ｏ３での位置決めが行われる。なお、枠側固定軸３１のフランジ部３１ｃの上面は、スリーブ３２のフランジ部３２ｃの下面に接当することにより、開き戸２を高さ方向Ｏ３に位置調整する際の下限位置（ストッパ）となる。
【００４３】
次に、上側蝶番４では、図１４に示すように、下側蝶番３の上下調整機構３０の代わりに、上下移動機構４０（追従移動機構）を備えている。上下移動機構４０は、蝶番軸８に取り付けられるとともに、開き戸２の高さ方向Ｏ３への移動に追従し、かつ枠側ヒンジプレート１０６に対する扉側ヒンジプレート７の回動を許容する。
【００４４】
具体的には、上下移動機構４０は、枠側ヒンジプレート１０６の挿通孔１０６ａ（図１５参照）を貫通する枠側保持軸４１（軸状部材）と、枠側保持軸４１に同芯状に被せられたスリーブ４２（筒状部材）と、枠側保持軸４１及びスリーブ４２の間に介装された圧縮コイルばね４３（弾発部材）とを有する。下側蝶番３の上下調整機構３０によって、開き戸２が高さ方向Ｏ３へ移動したとき、圧縮コイルばね４３の弾発力によって開き戸２を枠側ヒンジプレート１０６側（上方側）に保持しつつ、枠側保持軸４１は開き戸２の高さ方向Ｏ３への移動に追従する。
【００４５】
図１６に示すように、枠側保持軸４１は、一端側（上端側）に本体部４１ｂよりも大径に形成された大径部４１ａを有している。一方、図１７に示すように、スリーブ４２は、その内周面に高さ方向Ｏ３に沿って形成された円形孔部４２ａを有している。また，圧縮コイルばね４３は、枠側保持軸４１の本体部４１ｂとスリーブ４２の円形孔部４２ａとの間に配置され、その両端は、枠側保持軸４１の大径部４１ａ及びスリーブ４２の円形孔部４２ａの各々の段部で保持されている。図１６に戻り、枠側保持軸４１は、大径部４１ａの形成側とは反対側の本体部４１ｂの端面（下端面）に形成された雌ねじ部４１ｃを有している。図１３及び図１４に示すように、固定用ねじ４４（取付具）が雌ねじ部４１ｃと螺合することによって、摘み４５（操作具）が枠側保持軸４１に固定されている。したがって、通常では、開き戸２は圧縮コイルばね４３の弾発力によって枠側ヒンジプレート１０６側（上方側）に保持されている。そして、圧縮コイルばね４３の弾発力に抗して摘み４５を下方に引き、枠側保持軸４１の大径部４１ａを枠側ヒンジプレート１０６の貫通孔１０６ａから抜き出せば、開き戸２を固定枠５から外すことができる。
【００４６】
さらに、図１７に示すように、スリーブ４２の本体部４２ｂの外周面は、軸線Ｏ３方向から見て、先端部４２ｂ１のみが円形状に形成され、貫通孔１１ａ，２１ａを貫通する部分を含む残余部４２ｂ２が非円形状（例えば擬似四角形状）に形成されている。これにより、固定枠５に対する開き戸２の開閉に基づいて、扉側ヒンジプレート７及びスリーブ４２は、蝶番軸８の軸線Ｏ３周りに、前後スライダ１１及び左右スライダ２１と一体的に回動する。
【００４７】
なお、枠側保持軸４１及びスリーブ４２は、前後スライダ１１と左右スライダ２１との重合部分、すなわち貫通孔１１ａ，２１ａを貫通する形態で配置されている（図９参照）。その他、前後調整機構１０，左右調整機構２０，収納ケース５０の構成は下側蝶番３と同様であるので、説明を省略する。
【００４８】
図１４に戻り、以上のような構成を有する上側蝶番４の組立方法について説明する。
（１）収納ケース５０組立工程
下側蝶番３の収納ケース５０組立工程と同様であるので、説明を省略する。
【００４９】
（２）収納ケース５０セット工程
前壁部５０ｂの凹部５０ｇに支持片７ｂの凸部７ｅを嵌め合わせつつ、扉側ヒンジプレート７の支持片７ｂに収納ケース５０を載置・固定する。スリーブ４２の本体部４２ｂを、支持片７ｂの貫通孔７ｄに高さ方向Ｏ３に沿って挿入し、支持片７ｂの上面に位置させた四角孔付き座金５２を介して、フランジ部４２ｃを扉側ヒンジプレート７に着座させる。収納ケース５０から突出した枠側保持軸４１の本体部４１ｂに、頂壁部５０ａの上面に位置させた四角孔付き座金５３と固定用ねじ４４とによって、摘み４５を固定する。これによって、枠側保持軸４１及びスリーブ４２は、扉側ヒンジプレート７（開き戸２）とともに一体的に回動可能となり、枠側保持軸４１は、収納ケース５０及びスリーブ４２に対して高さ方向Ｏ３に沿って移動可能となる。
【００５０】
（３）ヒンジプレート１０６，７セット工程
枠側保持軸４１の大径部４１ａを枠側ヒンジプレート１０６の貫通孔１０６ａに挿通する。
【００５１】
次に、扉ユニット１を固定枠５に対して位置調整する方法（隙間調整する方法）について、図３及び図１４を参照しつつ説明する。
（１）準備工程
下側蝶番３において、一旦両ヒンジプレート６，７のセットを解き、一方の枠側ヒンジプレート６を固定枠５の縦枠凹部５ａに一部埋め込んで固定するとともに、他方の扉側ヒンジプレート７を開き戸２の上下方向の木口２ａ及び左右方向の木口２ｂに固定する（図２参照）。同様に、上側蝶番４において、一旦両ヒンジプレート１０６，７のセットを解き、一方の枠側ヒンジプレート１０６を固定枠５の上部横枠凹部５ｂに一部埋め込んで固定するとともに、他方の扉側ヒンジプレート７を開き戸２の上下方向の木口２ａ及び左右方向の木口２ｂに固定する（図１３参照）。そして、下側蝶番３の枠側ヒンジプレート６に固定された枠側固定軸３１を扉側ヒンジプレート７に保持されたスリーブ３２に挿通し、上側蝶番４の枠側保持軸４１の大径部４１ａと枠側ヒンジプレート１０６の貫通孔１０６ａとを位置合わせする。これにより、上側蝶番４では大径部４１ａが貫通孔１０６ａに挿入される一方、下側蝶番３では球体３４とピボット軸受３３の接触面３３ｃとが接触して、スリーブ３２、扉側ヒンジプレート７、収納ケース５０等が保持される。
【００５２】
（２）厚さ方向Ｏ１調整工程（前後隙間Ｓ１調整工程）
下側蝶番３及び上側蝶番４において、扉側ヒンジプレート７が固定された開き戸２を、枠側ヒンジプレート６，１０６が固定された固定枠５に対し、蝶番軸８を介して連結するとともに、開き戸２が固定枠５を閉鎖する状態に維持する。下側蝶番３及び上側蝶番４に備えられた前後調整機構１０により、開き戸２をそれぞれ厚さ方向Ｏ１へ移動して位置調整する。これによって、開き戸２と固定枠５との前後隙間Ｓ１（図１（ｂ）参照）が調整される。
【００５３】
（３）幅方向Ｏ２調整工程（左右隙間Ｓ２調整工程）
下側蝶番３及び上側蝶番４に備えられた左右調整機構２０により、開き戸２をそれぞれ幅方向Ｏ２へ移動して位置調整する。これによって、開き戸２と固定枠５との左右隙間Ｓ２（図１（ａ）参照）が調整される。
【００５４】
（４）高さ方向Ｏ３調整工程（上下隙間Ｓ３調整工程）
下側蝶番３に備えられた上下調整機構３０により、開き戸２を高さ方向Ｏ３へ移動して位置調整する。このとき、上側蝶番４に備えられた上下移動機構４０は、開き戸２の高さ方向Ｏ３への移動に追従する。これによって、開き戸２と固定枠５との上下隙間Ｓ３（図１（ａ）参照）が調整される。
【００５５】
（５）収納ケースカバー５１セット工程
開き戸２の３方向の位置調整（隙間調整）を終えた下側蝶番３及び上側蝶番４において、収納ケース５０，５０に収納ケースカバー５１，５１を被せる。
【００５６】
なお、開き戸２のノブ２ｃ（図１参照）を把持して開き戸２を開放するとき、下側蝶番３のスリーブ３２は、ピボット軸受３３とともに扉側ヒンジプレート７と一体的に回動する（図３参照）。一方、上側蝶番４の枠側保持軸４１及びスリーブ４２は、扉側ヒンジプレート７とともに一体的に回動する（図１４参照）。
【００５７】
このように、作業者は、上記３つの調整工程を各々独立して、かつ順序を問わずに開き戸２の内側で一括して行なえる。したがって、各隙間Ｓ１，Ｓ２，Ｓ３を直接目視しながら開き戸２と固定枠５との相互間隔を短時間で効率よく微調整することができる。勿論、上記３工程を同時に実施することも可能であるから、その場合には、さらに作業の効率化を図ることができる。
【００５８】
その際、調整ねじ１２，２２，３３ａが収納ケース５０の前壁部５０ｂ，左側壁部５０ｅ，頂壁部５０ａの３箇所に集中しているので、開き戸２の位置調整（隙間調整）作業が一層効率的に行なえる。
【００５９】
また、扉側ヒンジプレート７の支持片７ｂがクランク状の折曲部７ｃを介して固定片７ａと連結されているので、開き戸２の厚さ方向Ｏ１への倒れ込みに対する剛性が高くなり（図２参照）、扉側ヒンジプレート７の板厚を相対的に薄くすることができる。したがって、上下隙間Ｓ３が外部から見えないように覆い隠すための覆い部９を設ける場合には、その覆い部９の高さを低く抑えることができる（図１参照）。
【００６０】
以上の実施例では蝶番軸８の軸線Ｏ３が上下方向（鉛直方向）に位置する場合のみについて説明したが、本発明は軸線Ｏ３がその他の方向（例えば水平方向）に配置された蝶番や扉ユニットにも適用される。また、開き戸２の３方向の位置調整（隙間調整）は、開き戸２が固定枠５を閉鎖する状態で、開き戸２（部屋出入口）の外側から行なうようにしてもよい。さらに、蝶番３，４を開き戸２の左側に設けてもよい。
【００６１】
ところで、扉側ヒンジプレート７の貫通孔７ｄの形状（図５）、スリーブ３２の残余部３２ｂ２の外形形状（図１１）、及びスリーブ４２の残余部４２ｂ２の外形形状（図１７）はいずれも（擬似）四角形状に形成されているが、これらは他の（擬似）多角形状、（擬似）楕円形状等であってもよい。すなわち、これらの形状は、開き戸２の位置調整時にスリーブ３２，４２がスライダ１１，２１（の貫通孔１１ａ，２１ａ）に対して幅方向Ｏ２，厚さ方向Ｏ１に各々相対的に移動でき、かつ開き戸２の開閉時にスリーブ３２，４２がスライダ１１，２１（の貫通孔１１ａ，２１ａ）と一体的に回動できる形状であればよい。
【図面の簡単な説明】
【００６２】
【図１】本発明に係る扉ユニットを固定枠に取り付けた状態の一例を示す正面図及び側面図。
【図２】図１の下側蝶番の取付状態を扉ユニットの開放状態にて拡大して示す斜視図。
【図３】図２に示す下側蝶番の分解斜視図。
【図４】図３の枠側ヒンジプレートを示す平面図、側面図及び一部破断正面図。
【図５】図３の扉側ヒンジプレートを示す平面図、側面図及び正面図。
【図６】図３の収納ケースを示す平面図、そのＡ−Ａ断面図、側面図、正面図、背面図及び底面図。
【図７】図３の収納ケースカバーを示す平面図、側面断面図及び底面図。
【図８】図６の収納ケースに収納される前後スライダを示す平面図、側面図及び正面図。
【図９】図６の収納ケースに収納される左右スライダを示す平面図、側面図及び正面図。
【図１０】図６の収納ケースに収納される枠側固定軸の平面図、正面半断面図及び組立状態の説明図。
【図１１】図６の収納ケースに収納されるスリーブを示す平面図、正面半断面図及び底面図。
【図１２】図６の収納ケースに収納されるピボット軸受の平面図、正面半断面図及び及び組立状態の説明図。
【図１３】図１の上側蝶番の取付状態を扉ユニットの閉鎖状態にて拡大して示す斜視図。
【図１４】図１３に示す上側蝶番の分解斜視図。
【図１５】図１４の枠側ヒンジプレートを示す平面図、一部破断側面図及び部分断面正面図。
【図１６】図１４の枠側固定軸を示す正面半断面図。
【図１７】図１４のスリーブを示す平面図、正面半断面図及び底面図。
【符号の説明】
【００６３】
１            扉ユニット
２            開き戸（扉体）
３            下側蝶番（蝶番）
４            上側蝶番（蝶番）
５            固定枠（扉取付部）
６，１０６    枠側ヒンジプレート（取付部側ヒンジプレート；取付部側ヒンジ部）
７            扉側ヒンジプレート（扉側ヒンジ部）
８            蝶番軸
１０          前後調整機構（第一の調整機構）
１１          前後スライダ（第一係合部；第一の作動部）
１２          前後調整ねじ（第一の操作部）
２０          左右調整機構（第二の調整機構）
２１          左右スライダ（第二係合部；第二の作動部）
２２          左右調整ねじ（第二の操作部）
３０          上下調整機構（第三の調整機構）
３１          枠側固定軸（軸状部材；第三係合部；第三の作動部）
３２          スリーブ（筒状部材；第三係合部；第三の作動部）
３３          ピボット軸受（軸受体；第三係合部；第三の作動部）
３３ａ        上下調整ねじ（第三の操作部）
３４          球体（支持体；第三係合部；第三の作動部）
４０          上下移動機構（追従移動機構）
４１          枠側保持軸（軸状部材）
４２          スリーブ（筒状部材）
４３          圧縮コイルばね（弾発部材）
５０          収納ケース（ケース体）
５１          収納ケースカバー
【図１】
2006169817.tif 000003
【図２】
2006169817.tif 000004
【図３】
2006169817.tif 000005
【図４】
2006169817.tif 000006
【図５】
2006169817.tif 000007
【図６】
2006169817.tif 000008
【図７】
2006169817.tif 000009
【図８】
2006169817.tif 000010
【図９】
2006169817.tif 000011
【図１０】
2006169817.tif 000012
【図１１】
2006169817.tif 000013
【図１２】
2006169817.tif 000014
【図１３】
2006169817.tif 000015
【図１４】
2006169817.tif 000016
【図１５】
2006169817.tif 000017
【図１６】
2006169817.tif 000018
【図１７】
2006169817.tif 000019
【手続補正書】
【提出日】平成18年1月31日(2006.1.31)
【手続補正１】
【補正対象書類名】特許請求の範囲
【補正対象項目名】全文
【補正方法】変更
【補正の内容】
【特許請求の範囲】
【請求項１】
固定枠等の扉取付部に装着される取付部側ヒンジ部としての取付部側ヒンジプレートと、その扉取付部に対して開閉可能な開き戸等の扉体に装着される扉側ヒンジ部としての扉側ヒンジプレートと、それら両ヒンジプレートを前記扉体の開閉方向において相対的に回動可能に連結する蝶番軸と、を有する蝶番であって、
前記扉側ヒンジプレートに取り付けられるとともに、前記扉体が前記扉取付部を閉鎖する状態でその扉体を前記蝶番軸の軸線に直交する面において第一方向としての厚さ方向へ移動させ、かつその直交面において前記厚さ方向に直交する第二方向としての前記扉体の幅方向及び前記蝶番軸の軸線に沿う第三方向としての前記扉体の高さ方向への前記扉体の移動をそれぞれ許容する第一係合部が配置された第一の調整機構と、
前記扉側ヒンジプレートに取り付けられるとともに、前記扉体を前記幅方向へ移動させ、かつ前記厚さ方向及び前記高さ方向への前記扉体の移動をそれぞれ許容する第二係合部が、前記高さ方向から見て前記第一係合部とクロス状に重合する形態で配置された第二の調整機構と、
前記蝶番軸に組み込まれるとともに、前記扉体を前記高さ方向へ移動させ、かつ前記取付部側ヒンジプレートに対する前記扉側ヒンジプレートの回動を許容する第三係合部が、前記第一係合部及び前記第二係合部の重合部分を貫通する形態で配置された第三の調整機構と、を備え、
前記扉側ヒンジプレートが固定された前記扉体を、前記取付部側ヒンジプレートが固定された前記扉取付部に対し、前記蝶番軸が前記第一係合部及び前記第二係合部の重合部分を貫通する形態で連結するとき、
前記第一の調整機構による前記扉体の厚さ方向への移動と、前記第二の調整機構による前記扉体の幅方向への移動と、前記第三の調整機構による前記扉体の高さ方向への移動とが各々他の調整に影響を与えることなく別々に、前記扉体が前記扉取付部を閉鎖する状態でその扉体の内側又は外側の同じ側から行なわれ、それら扉体と扉取付部との相互間隔が微調整可能であることを特徴とする蝶番。
【請求項２】
前記第一係合部は、前記蝶番軸と係合することによって前記扉体を前記厚さ方向へ移動させ、かつ前記蝶番軸との係合を回避することによって前記幅方向及び前記高さ方向への前記扉体の移動を許容するように、前記扉体の幅方向に沿って長孔状で高さ方向に貫通形成される一方、
前記第二係合部は、前記蝶番軸と係合することによって前記扉体を前記幅方向へ移動させ、かつ前記蝶番軸との係合を回避することによって前記厚さ方向及び前記高さ方向への前記扉体の移動を許容するように、前記扉体の厚さ方向に沿って長孔状で高さ方向に貫通形成されている請求項１に記載の蝶番。
【請求項３】
前記蝶番軸の第三係合部は、前記取付部側ヒンジプレートに固定された軸状部材と、その軸状部材に同芯状に被せられて係合するとともに前記扉側ヒンジプレートに保持された筒状部材とを含み、
その筒状部材が前記軸状部材と係合しつつその軸線方向に移動することによって、前記扉体を前記高さ方向へ移動させる請求項１又は２に記載の蝶番。
【請求項４】
前記筒状部材の外周面は、軸線方向から見て、少なくとも前記第一係合部及び前記第二係合部を貫通する部分が非円形状に形成されるとともに、
前記軸状部材と前記筒状部材との間には、前記扉側ヒンジプレートの回動に伴う前記筒状部材の回転変位を受け止める軸受体が設けられ、
前記扉取付部に対する前記扉体の開閉に基づいて、前記扉側ヒンジプレート及び前記筒状部材は、前記軸受体を介して又は前記軸受体とともに、前記軸状部材の軸線周りに前記第一係合部及び前記第二係合部と一体的に回動する請求項３に記載の蝶番。
【請求項５】
前記第一、第二及び第三の調整機構は前記扉側ヒンジプレートに固定された直方体状又は立方体状のケース体にそれぞれ収納され、
そのケース体の互いに直交する３つの面には、各々の調整機構に対応する第一、第二及び第三の操作部が、それぞれ前記ケース体の外部から各調整機構の作動部を移動調整可能に設けられている請求項１ないし４のいずれか１項に記載の蝶番。
【請求項６】
請求項１又は２に記載の蝶番において、
前記第三の調整機構に代えて、前記蝶番軸に取り付けられるとともに、前記扉体の高さ方向への移動に追従する弾発部材を有し、かつ前記取付部側ヒンジプレート及び前記扉側ヒンジプレートの相対的な回動を許容するための追従移動機構を備え、
前記扉側ヒンジプレートが固定された前記扉体を、前記取付部側ヒンジプレートが固定された前記扉取付部に対し、前記蝶番軸を介して連結するとき、
前記第一の調整機構による前記扉体の厚さ方向への移動と、前記第二の調整機構による前記扉体の幅方向への移動と、前記扉体の高さ方向への移動に基づく前記追従移動機構の弾発部材による追従移動とが各々他の調整に影響を与えることなく別々に、前記扉体が前記扉取付部を閉鎖する状態でその扉体の内側又は外側の同じ側から行なわれ、それら扉体と扉取付部との相互間隔が微調整可能であることを特徴とする蝶番。
【請求項７】
請求項１ないし５のいずれか１項に記載の蝶番が、固定枠等の扉取付部に対して開閉可能な開き戸等の扉体の下部に下側蝶番として取り付けられる一方、
請求項６に記載の蝶番が、前記扉体の上部に上側蝶番として取り付けられていることを特徴とする扉ユニット。
【請求項８】
請求項７に記載の扉ユニットを固定枠等の扉取付部に対して位置調整する方法であって、
前記下側蝶番及び前記上側蝶番において、前記扉側ヒンジプレートが固定された前記扉体を、前記取付部側ヒンジプレートが固定された前記扉取付部に対し、前記蝶番軸を介して連結するとともに、前記扉体が前記扉取付部を閉鎖する状態に維持しつつ、
前記下側蝶番及び前記上側蝶番に備えられた前記第一の調整機構により、前記扉体をそれぞれ前記厚さ方向へ移動させる厚さ方向調整工程と、
前記下側蝶番及び前記上側蝶番に備えられた前記第二の調整機構により、前記扉体をそれぞれ前記幅方向へ移動させる幅方向調整工程と、
前記下側蝶番に備えられた前記第三の調整機構により、前記扉体を前記高さ方向へ移動させるとともに、前記上側蝶番に備えられた前記追従移動機構の弾発部材を、前記扉体の高さ方向への移動に追従させる高さ方向調整工程と、
を各々他の調整に影響を与えることなく別々に、かつ順序を問わずに前記扉体の内側又は外側の同じ側から行ない、前記扉体と前記扉取付部との相互間隔を微調整することを特徴とする扉ユニットの位置調整方法。
【手続補正２】
【補正対象書類名】明細書
【補正対象項目名】０００５
【補正方法】変更
【補正の内容】
【０００５】
本発明の課題は、開き戸等の扉体の厚さ方向、幅方向及び高さ方向のように互いに直交する３方向の扉位置調整が、各々他の調整に影響を与えることなく別々に、かつ固定枠等の扉取付部を閉鎖した扉体の内側又は外側の同じ側から実施でき、扉体と扉取付部との相互間隔（隙間）の調整が短時間で効率的に行なえる蝶番、その蝶番を用いた扉ユニット、及びその扉ユニットの位置調整方法を提供することにある。
【手続補正３】
【補正対象書類名】明細書
【補正対象項目名】０００６
【補正方法】変更
【補正の内容】
【０００６】
ところで、上記蝶番において、
固定枠等の扉取付部に装着される取付部側ヒンジ部と、その扉取付部に対して開閉可能な開き戸等の扉体に装着される扉側ヒンジ部と、それら両ヒンジ部を前記扉体の開閉方向において相対的に回動可能に連結する蝶番軸と、を有する蝶番であって、
前記扉側ヒンジ部に取り付けられるとともに、前記扉体を前記蝶番軸の軸線に直交する面において所定の第一方向へ移動させ、かつその直交面において前記第一方向に直交する第二方向及び前記蝶番軸の軸線に沿う第三方向への前記扉体の移動をそれぞれ許容するための第一の調整機構と、
前記扉側ヒンジ部に取り付けられるとともに、前記扉体を前記第二方向へ移動させ、かつ前記第一方向及び前記第三方向への前記扉体の移動をそれぞれ許容するための第二の調整機構と、
前記蝶番軸に取り付けられるとともに、前記扉体を前記第三方向へ移動させ、かつ前記取付部側ヒンジ部及び前記扉側ヒンジ部の相対的な回動を許容するための第三の調整機構と、を備え、
前記扉側ヒンジ部が固定された前記扉体を、前記取付部側ヒンジ部が固定された前記扉取付部に対し、前記蝶番軸を介して連結するとき、
前記第一の調整機構による前記扉体の前記第一方向への移動と、前記第二の調整機構による前記扉体の前記第二方向への移動と、前記第三の調整機構による前記扉体の前記第三方向への移動とが各々独立して、前記扉体が前記扉取付部を閉鎖する状態でその扉体の内側又は外側から一括して行なわれ、それら扉体と扉取付部との相互間隔を微調整可能とする場合がある。
【手続補正４】
【補正対象書類名】明細書
【補正対象項目名】０００８
【補正方法】変更
【補正の内容】
【０００８】
その際、第一、第二及び第三の調整機構を扉側ヒンジプレートに固定された直方体状又は立方体状のケース体にそれぞれ収納し、そのケース体の互いに直交する３つの面には、各々の調整機構に対応する第一、第二及び第三の操作部を設けて、それぞれケース体の外部から各調整機構の作動部を移動調整可能とすることが望ましい。各操作部による作動部の移動調整によって、扉体の互いに直交する３方向の位置調整を、各々他の調整に影響を与えることなく別々に、かつ扉取付部を閉鎖する状態で扉体の内側又は外側の同じ側から行なうことが、簡素な構成で容易に実施できるようになる。
【手続補正５】
【補正対象書類名】明細書
【補正対象項目名】００１０
【補正方法】変更
【補正の内容】
【００１０】
したがって、上記課題を解決するために、本発明の蝶番は、
固定枠等の扉取付部に装着される取付部側ヒンジ部としての取付部側ヒンジプレートと、その扉取付部に対して開閉可能な開き戸等の扉体に装着される扉側ヒンジ部としての扉側ヒンジプレートと、それら両ヒンジプレートを前記扉体の開閉方向において相対的に回動可能に連結する蝶番軸と、を有する蝶番であって、
前記扉側ヒンジプレートに取り付けられるとともに、前記扉体が前記扉取付部を閉鎖する状態でその扉体を前記蝶番軸の軸線に直交する面において第一方向としての厚さ方向へ移動させ、かつその直交面において前記厚さ方向に直交する第二方向としての前記扉体の幅方向及び前記蝶番軸の軸線に沿う第三方向としての前記扉体の高さ方向への前記扉体の移動をそれぞれ許容する第一係合部が配置された第一の調整機構と、
前記扉側ヒンジプレートに取り付けられるとともに、前記扉体を前記幅方向へ移動させ、かつ前記厚さ方向及び前記高さ方向への前記扉体の移動をそれぞれ許容する第二係合部が、前記高さ方向から見て前記第一係合部とクロス状に重合する形態で配置された第二の調整機構と、
前記蝶番軸に組み込まれるとともに、前記扉体を前記高さ方向へ移動させ、かつ前記取付部側ヒンジプレートに対する前記扉側ヒンジプレートの回動を許容する第三係合部が、前記第一係合部及び前記第二係合部の重合部分を貫通する形態で配置された第三の調整機構と、を備え、
前記扉側ヒンジプレートが固定された前記扉体を、前記取付部側ヒンジプレートが固定された前記扉取付部に対し、前記蝶番軸が前記第一係合部及び前記第二係合部の重合部分を貫通する形態で連結するとき、
前記第一の調整機構による前記扉体の厚さ方向への移動と、前記第二の調整機構による前記扉体の幅方向への移動と、前記第三の調整機構による前記扉体の高さ方向への移動とが各々他の調整に影響を与えることなく別々に、前記扉体が前記扉取付部を閉鎖する状態でその扉体の内側又は外側の同じ側から行なわれ、それら扉体と扉取付部との相互間隔が微調整可能であることを特徴とする。
【手続補正６】
【補正対象書類名】明細書
【補正対象項目名】００１１
【補正方法】変更
【補正の内容】
【００１１】
これによって、第一係合部による扉体の厚さ方向（前後）の位置調整、第二係合部による扉体の幅方向（左右）の位置調整、及び第三係合部による扉体の高さ方向（上下）の位置調整が、各々他の調整に影響を与えることなく別々に、かつ扉取付部の閉鎖状態で扉体の内側又は外側の同じ側から行なえる。しかも、第一係合部と第二係合部との重合部分を第三係合部が貫通する形態で配置することによって、扉体の３方向（厚さ方向、幅方向及び高さ方向）の位置調整が、互いに干渉することなく各々他の調整に影響を与えることなく別々に容易に行なえるようになる。
【手続補正７】
【補正対象書類名】明細書
【補正対象項目名】００１４
【補正方法】変更
【補正の内容】
【００１４】
第一ないし第三係合部をそれぞれ以上のように構成することによって、扉体の３方向への位置調整が各々他の調整に影響を与えることなく別々に、簡素な構成で安価に実現できるようになる。
【手続補正８】
【補正対象書類名】明細書
【補正対象項目名】００１７
【補正方法】変更
【補正の内容】
【００１７】
なお、以上で述べたように第一ないし第三の調整機構を備える蝶番において、
第三の調整機構に代えて、蝶番軸に取り付けられるとともに、扉体の高さ方向への移動に追従する弾発部材を有し、かつ取付部側ヒンジプレート及び扉側ヒンジプレートの相対的な回動を許容するための追従移動機構を備え、
扉側ヒンジプレートが固定された扉体を、取付部側ヒンジプレートが固定された扉取付部に対し、蝶番軸を介して連結するとき、
第一の調整機構による扉体の厚さ方向への移動と、第二の調整機構による扉体の幅方向への移動と、扉体の高さ方向への移動に基づく追従移動機構の弾発部材による追従移動とが各々他の調整に影響を与えることなく別々に、扉体が扉取付部を閉鎖する状態でその扉体の内側又は外側の同じ側から行なわれ、それら扉体と扉取付部との相互間隔を微調整可能とすることができる。
【手続補正９】
【補正対象書類名】明細書
【補正対象項目名】００２０
【補正方法】変更
【補正の内容】
【００２０】
さらに、上記課題を解決するために、本発明は、扉ユニットを固定枠等の扉取付部に対して位置調整する方法として、
下側蝶番及び上側蝶番において、扉側ヒンジプレートが固定された扉体を、取付部側ヒンジプレートが固定された扉取付部に対し、蝶番軸を介して連結するとともに、扉体が扉取付部を閉鎖する状態に維持しつつ、
下側蝶番及び上側蝶番に備えられた第一の調整機構により、扉体をそれぞれ厚さ方向へ移動させる厚さ方向調整工程と、
下側蝶番及び上側蝶番に備えられた第二の調整機構により、扉体をそれぞれ幅方向へ移動させる幅方向調整工程と、
下側蝶番に備えられた第三の調整機構により、扉体を高さ方向へ移動させるとともに、上側蝶番に備えられた追従移動機構の弾発部材を、扉体の高さ方向への移動に追従させる高さ方向調整工程と、
を各々他の調整に影響を与えることなく別々に、かつ順序を問わずに扉体の内側又は外側の同じ側から行ない、扉体と扉取付部との相互間隔を微調整することを特徴とする。